(57)【特許請求の範囲】
【請求項１】
基材の少なくとも片面の一部領域もしくは全域に、潜像パターン部とそれを取り巻く非潜像部とが同一形状の透明樹脂でなる万線で形成されている像変化機能を有する媒体であって、該潜像パターン部を形成する万線及び該非潜像部を形成する万線が前記基材上に直接形成されており、かつ無色透明または着色透明であり、該潜像パターン部を形成する万線は、非潜像部を形成する万線に対し４５〜１３５°の傾きで形成されていることを特徴とする像変化機能を有する媒体。
【請求項２】
前記潜像パターン部を形成する万線と非潜像部を形成する万線が無色透明であることを特徴とする請求項１に記載の像変化機能を有する媒体。
【請求項３】
前記潜像パターン部を形成する万線が、非潜像部を形成する万線に対し９０°の傾きで形成されていることを特徴とする請求項１又は２に記載の像変化機能を有する媒体。
【請求項４】
前記万線の厚みは、５〜１０μｍの範囲であることを特徴とする請求項１〜３のいずれかに記載の像変化機能を有する媒体。
【請求項５】
前記万線の線幅は、５０〜２００μｍの範囲で、その間隔は、該線幅と略同一であることを特徴とする請求項１〜４のいずれかに記載の像変化機能を有する媒体。
【請求項６】
前記透明樹脂でなる万線は、紫外線硬化型スクリーンインキで形成され、紫外線照射によって硬化されていることを特徴とする請求項１〜５のいずれかに記載の像変化機能を有する媒体。
【発明の詳細な説明】
【０００１】
【発明の属する技術分野】
本発明は、隠し文字やパターンでなる潜像画像が形成されていて、視角によって顕像化する機能を有する媒体に関するものであり、例えばカードや証券類、あるいはやブランド商品等の偽造防止を必要とする商品に付加することができる像変化機能を有する媒体に関する。
【０００２】
【従来の技術】
従来、潜像画像の形成に関する方法は種々ある。例えば透明インキメジウム中にフィラーを入れたものを印刷し鉛筆でその部分を擦ると鉛筆の粉が印刷部分に付着して隠し文字が現れる鉛筆出し印刷（デコマット）があるが、この潜像画像はよく見るとわかってしまうため、本格的な潜像というよりは、遊び用として使用されている。
また、例えば不可逆性感熱発色インキは、熱をかけることによって発色するインキであって、白色もしくは無色透明のインキを用いたものがあるが、潜像画像としては有効であるが、潜像画像を顕像化させるための熱源装置が必要であり、かつ一回潜像画像を表示させたものを消色することができないため、用途が限定されるという問題がある。
また、酸化チタン等金属よりも硬いフィラーを含有させた白色インキを白色の紙に印刷し、コイン等で擦ることにより潜像画像を顕像化させる方法があり、これにマット調のニスを設けることにより目視で見えなくできるが、顕像化できるのは一回限りであることより用途が限定される。
これに対し繰り返し顕像化可能な媒体として可逆性感熱発色インキ（サーモクロミックインキ）がある。このサーモクロミックインキは熱をかけることにより可逆的に発色するインキで、熱を加えると発色もしくは消色し、しばらく放置すると元の状態に戻るものである。このインキも潜像画像としてもしくは画像を隠蔽するという形で使われているが、耐性とくに耐熱性が劣ることから用途が限定される。
また、繰り返し顕像化可能な媒体としてフォトクロミックインキがあり、このフォトクロミックインキは、光、特に紫外線を照射することにより発色するインキで、白色もしくは無色透明のインキがあることより潜像画像として用いられているが、耐性とくに耐光性が弱いことより用途が限定されている。
また、蛍光インキは紫外線を照射することにより発光するインキで、白色または無色透明のインキがあることより潜像画像として用いられている。この蛍光インキには有機タイプと無機タイプがあり、有機タイプは印刷インキ中にごく少量含有するだけで発光が確認されるが、耐光性が弱いため用途が限定される。また、無機タイプは印刷インキ中に多く入れる必要があり（１０〜２０％程度）、潜像画像としては目視でわかってしまうため、デザイン等に工夫が必要である。
さらにまた、網点等のモアレ（干渉縞）を利用して潜像画像を形成する方法は、網点のピッチもしくは角度を部分的に変えることにより、整然と並んだ網点の透明フィルムを潜像画像に重ねることでモアレが発生し、画像が出現するもので、この場合、簡単な表示媒体で繰り返しの使用が可能であるが複雑な画像を形成できないという問題がある。
また、磁性インキによる潜像画像は磁気記録可能な保持力（約３００Ｏｅ以上）のある磁性層をパターン状に磁化させる方式で画像形成を行い、磁性層状に鉄粉をふりかけることで磁化されている部分に鉄粉が集まる性質を利用し画像表示する方式で、この方式では潜像画像を表示させる工程が煩雑であり、また画像の書き換えが可能であることより用途が限定される。
また、赤外線域を利用し赤外光を吸収するインキにて画像を形成し、この上に前記画像を隠蔽し目視できないようにするとともに赤外線領域で光を透過する層を設けた潜像画像があるが、この潜像画像を表示させるためには赤外線カメラ等が必要であり、装置的に大がかりとなる。また、可視光域では白色もしくは無色であるが赤外線域に吸収のあるインキ（ＩＶインキ）があるが、これも前記同様赤外線カメラ等が必要である。
【０００３】
一方、近年の電子写真技術を利用したコピー機の急速な普及と供に、最近のカラーコピー機を利用すれば、誰でも簡単に原稿か複写物か見分けが極めて困難な複写物を容易に作成することができるようになった。このように、カラーコピーは便利である反面、株券、債券、約束手形、小切手などの有価証券や、入場券、搭乗券等の印刷物が容易に偽造されるという問題が増加しつつある。このようなコピーを牽制し、セキュリティ性を高める手段として、上記有価証券類等に各種コピーによる偽造防止技術が施されている。例えば、透かしを入れた紙、着色用紙、チップ入り紙等の基材自体によるコピー防止技術や、地紋、彩紋、棒彩紋、ロゴライン等の印刷及び蛍光インキ、消色インキ等の特殊インキを使用した特殊印刷によるコピー防止技術、また、印刷原稿内に複写禁止対象物であることを示す情報を含ませて作成する電子透かしと呼ばれるコピー防止技術等がある。しかし、これら技術は煩雑になり、コスト高になる等の問題があった。
【０００４】
【発明が解決しようとする課題】
本発明は、かかる従来技術の問題点を解決するものであり、その課題とするところは、市販のカラー複写機などによる偽造や複製が困難な、隠し文字やパターン等潜像画像の形成にコストが嵩まず、かつその潜像画像の顕像化（真偽判定も含む）に特殊な装置等を必要とせず、さらにその顕像化が繰り返しも可能で、耐熱性や耐光性にも優れる像変化機能を有する媒体を提供することにある。
【０００５】
【課題を解決するための手段】
本発明に於いて上記課題を達成するために、まず請求項１の発明では、基材の少なくとも片面の一部領域もしくは全域に、潜像パターン部とそれを取り巻く非潜像部とが同一形状の透明樹脂でなる万線で形成されている像変化機能を有する媒体であって、該潜像パターン部を形成する万線及び該非潜像部を形成する万線が前記基材上に直接形成されており、かつ無色透明または着色透明であり、該潜像パターン部を形成する万線は、非潜像部を形成する万線に対し４５〜１３５°の傾きで形成されていることを特徴とする像変化機能を有する媒体としたものである。
また、請求項２の発明では、前記潜像パターン部を形成する万線と非潜像部を形成する万線が無色透明であることを特徴とする請求項１に記載の像変化機能を有する媒体としたものである。
また、請求項３の発明では、前記潜像パターン部を形成する万線が、非潜像部を形成する万線に対し９０°の傾きで形成されていることを特徴とする請求項１又は２に記載の像変化機能を有する媒体としたものである。
【０００６】
上記請求項１の発明によれば、基材上に潜像パターン部と非潜像部とが同一形状の透明樹脂でなる万線で形成し、かつ前記基材上に直接形成して像変化機能を有する媒体としているので、製造コストが嵩まず、かつ耐熱性や耐光性に優れ、またこの潜像パターン部と非潜像部を構成する万線が無色透明または着色透明であり、その万線のそれぞれが４５〜１３５°の傾きで形成されているので、これら潜像パターン部と非潜像部での万線の頂上（天面）での反射光量に差ができ、この潜像パターン部の顕像化が、光源からの反射の角度変化で視認でき、よって複写機による複写（偽造）が困難で、この顕像化に特殊な装置を必要とせず、かつ繰り返しが可能な像変化機能を有する媒体を提供できる。この潜像パターン部と非潜像部を構成する万線の傾きが４５°に満たなく、１３５°を越えると両部の万線上の天面の反射光量に差が無くなり、潜像パターン部の顕像化では、コントラストに欠ける顕像パターンとなり好ましくない。
【０００７】
また、請求項４の発明では、前記万線の厚みは、５〜１０μｍの範囲であることを特徴とする請求項１〜３のいずれかに記載の像変化機能を有する媒体としたものである。
【０００８】
上記請求項４の発明によれば、上記万線の厚みを、５〜１０μｍの範囲とすることによって、潜像パターン部と非潜像部の万線の頂上（天面）での反射光量に差ができ、よって視角の変化によって潜像パターン部が、高コントラストの顕像パターンを得る像変化機能を有する媒体とすることができる。この万線の厚みが、５μｍに満たないと万線の頂上（天面）が偏平になり、潜像パターン部と非潜像部の万線の頂上（天面）での反射光量に差がなくなり、その結果視角の変化によって潜像パターン部が、コントラストのない顕像パターンとなり、また万線の厚みが１０μｍを越えると、製品を重ねた場合、傾いてしまい、製造や保管あるいは搬送等に支障をきたしたり、カード等に適用された場合では、自動販売機等での搬送で誤作動を起こしたり、さらに低コストで可能な印刷等で形成することが困難となるので好ましくない。
【０００９】
また、請求項５の発明では、前記万線の線幅は、５０〜２００μｍの範囲で、その間隔は、該線幅と略同一であることを特徴とする請求項１〜４のいずれかに記載の像変化機能を有する媒体としたものである。
【００１０】
上記請求項５の発明によれば、上記万線の線幅を、５０〜２００μｍの範囲で、その間隔（万線と万線の間で白い部分をいう）を、この線幅と略同一とすることによって、この万線の厚みも均一なものとすることができ、万線の線幅が５０μｍに満たないと、印刷等による再現性が困難となり、かつ上記のような厚みがとれず不均一となり、逆に万線の線幅が２００μｍを越えると形成されている万線が目立ち過ぎ、通常でも潜像パターン部が視認され、さらにまたカード等に適用される場合等では、読み取り機械等での搬送適性で耐摩擦等に劣るという問題があるので好ましくない。
【００１１】
さらにまた、請求項６の発明では、前記透明樹脂でなる万線は、紫外線硬化型インキで形成され、紫外線照射で硬化されていることを特徴とする請求項１〜５のいずれかに記載の像変化機能を有する媒体としたものである。
【００１２】
上記請求項６の発明によれば、上記透明樹脂でなる万線を、紫外線硬化型インキを用い、スクリーン印刷法で形成され、紫外線照射で即硬化されているので、得られた万線の頂上（天面）が、通常の蒸発乾燥型のインキのようにレベリング等で平坦にならず、シャープな鋭角を形成することができ、よって潜像パターン部と非潜像部の万線の頂上（天面）での反射光量に差がより大きくなり、その結果視角の変化によって潜像パターン部が、より高コントラストの顕像パターンとなる像変化機能を有する媒体とすることができる。
【００１３】
【発明の実施の形態】
以下本発明の実施の形態を図面を用いながら説明する。
本発明の像変化機能を有する媒体として、例えば図１の平面図に示すように、基材（１０）として、カード用の白色プラスチックシートの片面に、文字等でなる印字部（１２）とその一部領域に、透明樹脂でなる万線パターン（２０）が施されている像変化機能を有するカード（１）であって、上記請求項１に係る発明は、例えば図２の平面拡大図に示すように、上記万線パターン（２０）は、「Ｔ」の字を示す潜像パターン部（２２）とその周囲に、この潜像パターン部（２２）を取り巻く非潜像部（２４）とで構成されていて、この潜像パターン部（２２）を形成する万線と非潜像部（２４）を形成する万線の交差する角度を９０°としたものである。
【００１４】
上記潜像パターン部（２２）とその周囲にある非潜像部（２４）とでなる万線パターン（２０）の形成は、図示しないが、表裏両面の一部領域に形成してもよく、片面もしくは表裏両面の全域に形成したものでも構わない。
【００１５】
また、上記請求項２に係る発明は、例えば、図２のＢ−Ｂ面断面を表す図３の側断面拡大図に示すように、潜像パターン部（２２）とその周囲にある非潜像部（２４）とを形成する万線の厚み（Ｄ）は、５〜１０μｍの範囲とし、また上記請求項３に係る発明は、例えば、図３の側断面拡大図に示すように、上記潜像パターン部（２２）と非潜像部（２４）とを形成する万線の線幅（Ｗ）を５０〜２００μｍの範囲とするもので、その万線の間隔（Ｓ）をこの線幅（Ｗ）と略同一とするものである。
【００１６】
さらにまた、上記請求項４に係る発明は、例えば、図３の側断面拡大図に示すように、潜像パターン部（２２）と非潜像部（２４）とを形成する透明樹脂でなる万線パターン（２０）は、紫外線硬化型スクリーンインキを用い、スクリーン印刷法で形成され、キセノンランプ等の紫外線照射で硬化されている像変化機能を有するカード（１）とするものである。
【００１７】
以上のような、例えば図３の側断面拡大図に示すように、潜像パターン部（２２）の万線と９０°の角度で交差している非潜像部（２４）の万線とでなる万線パターン（２０）に、非潜像部（２４）側の光源（６０）からの光（６２）は、光（６２）の方向に延びる万線でなる潜像パターン部（２２）に当たり、その光（６２）は、その潜像パターン部（２２）の万線の頂上（天面）で正規反射して、光源（６０）と対向する方向の人間の目（６４）には明るいパターンとして視認される。これに対しこの光（６２）の方向と直交する万線でなる非潜像部（２４）の頂上（天面）では、光源（６０）からの光（６２）が乱反射し、光源（６０）と対向する方向の人間の目（６４）には暗いパターンとして視認されるようになる。従って図２に示す万線パターン（２０）の真上から見ると、透明樹脂でなる潜像パターン部（２２）と非潜像部（２４）とからの反射光量に差がなくなるため、それらの区別はつかないが、万線パターン（２０）の上方向からの光の反射を下方向から見ると、潜像パターン部（２２）が白っぽい「Ｔ」の文字として視認されるものである。
【００１８】
これとは逆に、例えば上記図２に示す像変化機能を有するカード（１）を左側に９０°回転させて、上記と同様な条件で見ると、潜像パターン部（２２）が黒っぽい左側を天とする「Ｔ」の文字として視認されることになる。この場合も万線パターン（２０）を真上から見ると、万線パターン（２０）の存在は認識できたとしても、潜像パターン部（２２）は視認できないものである。
【００１９】
上記本発明に係わる万線パターン（２０）を形成する紫外線硬化型スクリーンインキとしては、例えばポリウレタンアクリレート、ポリエステルアクリレート、アルキッドアクリレート等でなるポリマーに、長鎖脂肪族アクリレート、アルリアクリレート、ベンジルアクリレート等でなる光反応性希釈剤と、ベンゾイン系、ベンゾフェノン系、アセトフェノン系等でなる光重合開始剤と、脂肪族アミン系、芳香族アミン系等でなる光増感剤などからなり、このようなインキを用いてスクリーン印刷法で形成し、それをキセノンランプ等による紫外線照射で即時に硬化させ、上記のように厚さ５〜１０μｍの万線パターン（２０）とすることができる。なお、この紫外線硬化型スクリーンインキは、必ずしも無色透明である必要はなく、透明インキと同様の効果（透明感と表面反射性）があればよく、例えば明るい色の顔料が含んでいる着色透明インキであってもよい。
【００２０】
また、本発明に係わる基材としては、上質紙やＯＣＲ用紙等の他、図１に示す像変化機能を有するカード（１）の場合は、プラスチックシートが好適で、例えば厚さ０．６〜０．８ｍｍ程度の塩化ビニル（ＰＶＣ）、ポリエチレンテレフタレート（ＰＥＴ）、ポリエチレン（ＰＥ）、ポリプロピレン（ＰＰ）、ポリスチレン（ＰＳ）あるいはＡＢＳのシートなどが挙げられ、特にエンボス適性等から塩化ビニルが多く使用され、近年では焼却での環境問題等から非晶性のＰＥＴ等を含め前記の樹脂を工夫して使用するようになってきている。
【００２１】
また、像変化機能を有するカード（１）の場合、例えばカードの表裏面の最外層に印字部（１２）等を保護する保護層を設けることもでき、その保護層としては、厚さ５〜１５μｍの透明な塩化ビニルフィルムを熱ラミネートするのが一般的であるが、その他アクリル、ポリエステル（ＰＥＴを含む）樹脂等耐熱性と堅牢性に優れた樹脂を主成分とし、機械等での滑り性等を考慮してシリコンやエチレン系ワックスを１〜５重量％の割合で配合されている樹脂をグラビア法等によるコーティングで形成することもできる。但しこの保護層で万線パターン（２０）を覆うようにしてはいけない。これは万線パターン（２０）での反射光量に影響するためである。
【００２２】
【発明の効果】
本発明は以上の構成であるから、下記に示す如き効果がある。
即ち、上記請求項１に係る発明において、基材の少なくとも片面の一部領域もしくは全域に、潜像パターン部とそれを取り巻く非潜像部とが同一形状の透明樹脂でなる万線で形成され、かつ前記基材上に直接形成されている像変化機能を有する媒体としているので、製造コストが嵩まず、かつ耐熱性や耐光性に優れ、またこの潜像パターン部と非潜像部を構成する万線が無色透明または着色透明であり、その万線のそれぞれが４５〜１３５°の傾きで、特に、上記請求項３に係る発明においては、９０°の傾きで形成されているので、これら潜像パターン部と非潜像部での万線の頂上（天面）での反射光量に差ができ、この潜像パターン部の顕像化が、光源からの反射の角度変化で視認でき、よって複写機による複写（偽造）が困難で、この顕像化に特殊な装置を必要とせず、かつ繰り返しが可能な像変化機能を有する媒体を提供できる。
【００２３】
また、上記請求項４に係る発明において、上記万線の厚みを、５〜１０μｍの範囲とすることによって、潜像パターン部と非潜像部の万線の頂上（天面）が偏平にならず、その反射光量に差ができ、よって視角の変化によって潜像パターン部が、高コントラストの顕像パターンを得る像変化機能を有する媒体とすることができる。
【００２４】
また、上記請求項５に係る発明において、上記万線の線幅を、５０〜２００μｍの範囲で、その間隔（万線と万線の間で白い部分をいう）を、この線幅と略同一とすることによって、この万線の厚みも均一なものとすることができ、万線の線幅が５０μｍに満たないと、印刷等による再現性が困難となり、かつ上記のような厚みがとれず不均一となり、逆に万線の線幅が２００μｍを越えると形成されている万線が目立ち過ぎ、通常でも潜像パターン部が視認されるようになるので好ましくない。
【００２５】
さらにまた、上記請求項６に係る発明において、上記透明樹脂でなる万線を、紫外線硬化型インキを用い、スクリーン印刷法で形成され、紫外線照射で即時硬化されているので、得られた万線の頂上（天面）が、通常の蒸発乾燥型のインキのようにレベリング等で平坦にならず、シャープな鋭角を形成することができ、よって潜像パターン部と非潜像部の万線の頂上（天面）での反射光量に差がより大きくなり、その結果視角の変化によって万線パターン内の潜像パターン部が、より高コントラストの顕像パターンとなる像変化機能を有する媒体とすることができる。
【００２６】
従って本発明は、隠し文字やパターンでなる潜像画像が形成されていて、視角によって顕像化する像変化機能を有する媒体において、例えばカードや証券類、あるいはやブランド商品等の偽造防止を必要とする商品に付加することができる像変化機能を有する媒体として、優れた実用上の効果を発揮する。
【図面の簡単な説明】
【図１】本発明の像変化機能を有する媒体の一実施の形態を正面で表した説明図である。
【図２】本発明の像変化機能を有する媒体の一実施の形態を示すもので、図１の拡大正面図である。
【図３】本発明の像変化機能を有する媒体の一実施の形態を示すもので、図２のＢ−Ｂ面断面で表した説明図である。
【符号の説明】
１‥‥像変化機能を有するカード
１０‥‥基材
１２‥‥印字部
２０‥‥万線パターン
２２‥‥潜像パターン部
２４‥‥非潜像部
６０‥‥光源
６２‥‥光
６４‥‥目
Ｄ‥‥万線パターンの厚み
Ｓ‥‥万線の間隔
Ｗ‥‥万線の線幅
【図１】
0004100034.tif 000002
【図２】
0004100034.tif 000003
【図３】
0004100034.tif 000004